(57)【要約】【課題】掌の造型を有し、揺動されている場合には、揺動のリズムに合わせて、発光体が点滅し、そして衝撃音が発生するようになる。【解決手段】本体と、拍手プレートと、を含む発光機能付き拍手器において、前記本体は、主体を有し、連接段を介して前記主体の後側には手持ち板が連接してあり、前記主体には収容空間が設けてあり、前記収容空間の内部には、発光体と、電池組と、導電弾性片と、トリガーとが設けてあり、前記発光体と、電池組と、導電弾性片と、トリガーとが互いに電気的に連接され回路を形成し、前記拍手プレートは、前記本体にある主体に対応し、後側のエッジが前記本体にある主体に枢着されて前記本体にある主体を挟み、そして後側には押付規制片が延設してあり、前記拍手プレートが外側に旋回される場合には、前記各押付規制片が前記本体の連接段に押付けるようになる。【選択図】図２
0003135917.tif 000002
【実用新案登録請求の範囲】
【請求項１】
本体と、拍手プレートと、を含む発光機能付き拍手器において、
前記本体は、主体を有し、連接段を介して前記主体の後側には手持ち板が連接してあり、前記主体には収容空間が設けてあり、前記収容空間の内部には、発光体と、電池組と、導電弾性片と、トリガーとが設けてあり、前記発光体と、電池組と、導電弾性片と、トリガーとが互いに電気的に連接され回路を形成し、
前記拍手プレートは、前記本体にある主体に対応し、後側のエッジが前記本体にある主体に枢着されて前記本体にある主体を挟み、そして後側には押付規制片が延設してあり、前記拍手プレートが外側に旋回される場合には、前記各押付規制片が前記本体の連接段に押付けるようになることを特徴とする、
発光機能付き拍手器。
【請求項２】
前記連接段の上端面と下端面とには補強リブが複数に設けてあり、前記拍手プレートが外側に旋回される場合には、その押付規制片がこれらの補強リブに押付けるようになることを特徴とする、請求項１に記載の発光機能付き拍手器。
【請求項３】
前記本体にある主体には貫通孔が開設してあり、前記拍手プレートの内側面には接合部が設けてあり、前記貫通孔に弾性具を挿通することにより前記各接合部が連接されることを特徴とする、請求項１に記載の発光機能付き拍手器。
【考案の詳細な説明】
【技術分野】
【０００１】
本考案は、発光機能付き拍手器に係り、特に、掌の造型を有し、揺動されている場合には、揺動のリズムに合わせて、発光体が点滅し、そして衝撃音が発生するようになる発光機能付き拍手器に関するものである。
【背景技術】
【０００２】
目下、一般の商業活動、芸術活動、選挙活動、スポーツ活動やコンサートなどでは、会場のムードを盛り上げるために、高音量の音声を発生し、又は蛍光棒を揺動し、花火を打ち上げるなどが広汎に使用される。
【０００３】
従来の蛍光棒は、主に、樹脂チューブ内に複数の化学物質を充填してあり、複数の化学物質を混合することにより、光が発生するようになる。
しかし、このような蛍光棒は、使用されたと勝手に捨てられ、地面に捨てられた蛍光棒が踏まれて破裂すると、充填された化学物質が流出され、蛍光棒に充填される化学物質が有毒物質であるので、回収の過程中に、清潔メンバーの皮膚がこれらの化学物質に接触すると、中毒の虞があり、且つこれらの有毒な化学物質は環境を汚染する欠点がある。
【０００４】
上記の欠点を解決するために、あるメーカは、蛍光剤などが塗布されたチューブの内部に発光ダイオードが設けられるものを開発した。
これは、主に、長期使用可能な蛍光剤や夜光剤が塗布されたチューブの内部に紫外線蛍光灯を設け、前記蛍光灯からの特殊波長を持つ光線により、チューブの表面に塗布された蛍光剤や夜光剤が励起されて蛍光効果が発生するものである。
しかし、このようなものは、上記の蛍光棒による欠点を解決できるが、蛍光効果だけを有するので、会場のムードを盛り上げる効果は不足である。
【考案の開示】
【考案が解決しようとする課題】
【０００５】
本考案の主な目的は、掌の造型を有し、揺動されている場合には、揺動のリズムに合わせて、発光体が点滅し、そして衝撃音が発生するようになる発光機能付き拍手器を提供することにある。
【課題を解決するための手段】
【０００６】
上記目的を達成するためになされた本願の第１考案は、本体と、拍手プレートと、を含む発光機能付き拍手器において、前記本体は、主体を有し、連接段を介して前記主体の後側には手持ち板が連接してあり、前記主体には収容空間が設けてあり、前記収容空間の内部には、発光体と、電池組と、導電弾性片と、トリガーとが設けてあり、前記発光体と、電池組と、導電弾性片と、トリガーとが互いに電気的に連接され回路を形成し、前記拍手プレートは、前記本体にある主体に対応し、後側のエッジが前記本体にある主体に枢着されて前記本体にある主体を挟み、そして後側には押付規制片が延設してあり、前記拍手プレートが外側に旋回される場合には、前記各押付規制片が前記本体の連接段に押付けるようになることを特徴とする発光機能付き拍手器であることを要旨としている。
【０００７】
本願の第２考案では、前記連接段の上端面と下端面とには補強リブが複数に設けてあり、前記拍手プレートが外側に旋回される場合には、その押付規制片がこれらの補強リブに押付けるようになることを特徴とする第１考案に記載の発光機能付き拍手器であることを要旨としている。
【０００８】
本願の第３考案では、前記本体にある主体には貫通孔が開設してあり、前記拍手プレートの内側面には接合部が設けてあり、前記貫通孔に弾性具を挿通することにより前記各接合部が連接されることを特徴とする第１考案に記載の発光機能付き拍手器であることを要旨としている。
【考案の効果】
【０００９】
本考案の発光機能付き拍手器によれば、次のような効果がある。
（イ）本考案は、掌の造型を有し、一般の蛍光棒の造型よりも魅力があり、だから、市場競争力が更に向上する。
【００１０】
（ロ）ユーザは本考案を握って揺動しているときに、手持ち板が旋回するようになり、手持ち板が発光機能付き拍手器の本体に交代に衝撃すると、衝撃音が発生し、そして衝撃するときに、発光機能付き拍手器の本体にある発光体は、衝撃のリズムに合わせて、発光体が点滅するようになり、だから、会場のムードを盛り上げる効果を有する。
【００１１】
（ハ）発光機能付き拍手器の本体の連接段の上下端面には、中央で外側に突出した補強リブが複数に設けてあり、これにより、連接段の旋回時の強靭度を向上可能であり、だから、本考案の耐久性が向上する。
【００１２】
（二）拍手プレートの後側には押付規制片が延設してあり、各押付規制片が本体の連接段の上下端面に設けられた補強リブに押付けるので、拍手プレートが発光機能付き拍手器の本体の主体から過度に旋回して断裂になることを回避可能であり、本考案の使用寿命が更に長くなる。
【考案を実施するための最良の形態】
【００１３】
以下、添付図面を参照して本考案の好適な実施の形態を詳細に説明する。
【００１４】
まず、図１を参照する。図１は本考案の実施例の組合状態の斜視図であって、本考案の発光機能付き拍手器は、主に、本体１と、本体１の上下面に枢着される拍手プレート２とから構成される。
【００１５】
前記本体１は、図２に示すように、主に、掌の造型を持つ主体１１を有し、連接段１２を介して前記主体１１の後側には手持ち板１３が連接してあり、前記主体１１には収容空間１１１が設けてあり、前記収容空間１１１の内部には、発光体１４と、電池組１５と、導電弾性片１６と、トリガー１７とが設けてあり、前記発光体１４と、電池組１５と、導電弾性片１６と、トリガー１７とが互いに電気的に連接され回路を形成し、また、前記電池組１５の後側には遮断片１８が出入れ自在に挿入してあり、前記遮断片１８により、発光体１４と、電池組１５と、導電弾性片１６と、トリガー１７とから形成される回路を遮断可能であり、前記トリガー１７は、収容空間１１１内に枢着され、一端が電池組１５に接触自在であり、他端が収容空間１１１の外側にぶら下がり、また、前記主体１１には貫通孔１１２が開設してあり、両端が上下の拍手プレート２にそれぞれ連結する弾性具２１は前記貫通孔１１２を貫通し、前記連接段１２の上下端面には、中央で外側に突出した補強リブ１２１が複数に設けてあり、これにより、連接段１２の旋回時の強靭度を向上可能であり、だから、本考案の耐久性が向上し、なお、ユーザは前記手持ち板１３を握ると前記主体１１を揺動可能である。
【００１６】
前記拍手プレート２は、掌の造型を持ち、前記本体１にある主体１１に対応し、後側のエッジが前記本体１にある主体１１に枢着されて前記本体１にある主体１１を挟み、そして後側には押付規制片２２が延設してあり、図３と図４に示すように、ユーザが手持ち板１３を握って主体１１を揺動して拍手プレート２が外側に旋回される場合には、前記各押付規制片２２が前記本体１の連接段１２の上下端面に設けられた補強リブ１２１に押付けるようになるので、拍手プレート２が発光機能付き拍手器の本体１の主体１１から過度に旋回して断裂になることを回避可能であり、また、拍手プレート２の内面にはフック形状の接合部２３が設けてあり、接合部２３に弾性具２１の両端をそれぞれ連接すると、拍手プレート２が発光機能付き拍手器の本体１の主体１１から過度に旋回して断裂になることを回避可能であり、また、拍手プレート２には貫通孔２４が開設してあり、前記遮断片１８は貫通孔２４を貫入して外部に突出可能である。
【００１７】
次に、図３と図４を参照しながら本考案の使用状態を詳細に説明する。ユーザは会場のムードに合わせて本考案の発光機能付き拍手器を握って揺動しているときに、発光機能付き拍手器の本体１が連接段１２を中心として大幅に旋回するようになり、このとき、前記本体１の主体１１に枢着された拍手プレート２が遠心力を受けて、拍手プレート２の押付規制片２２が本体１にある連接段１２の補強リブ１２１に押付け、そして弾性具２１の弾力により拍手プレート２の旋回角度が規制され、これにより、拍手プレート２が前記本体１にある主体１１を交代に衝撃して衝撃音が発生し、且つ拍手プレート２が前記本体１にある主体１１を衝撃するときに、トリガー１７の一端が間歇に押付けられ、トリガー１７は電池組１５に間歇に接触するので、電池組１５と連接する発光体が点滅するようになり、だから、本考案の発光機能付き拍手器によれば、会場のムードを盛り上げる効果は従来の蛍光棒よりも優れる。
【００１８】
また、図２に示すように、拍手プレート２の押付規制片２２にリードを設け、且つ発光機能付き拍手器の本体１の連接段１２の上下端面にある補強リブ１２１にリードを設けてもよく、これにより、拍手プレート２の押付規制片２２が発光機能付き拍手器の本体１の連接段１２にある補強リブ１２１に押付けているときに、本体１の主体１１の収容空間１１１の内部に設けられた発光体１４に電流が流され、発光体１４が発光するようになる。
【図面の簡単な説明】
【００１９】
【図１】本考案の組合状態の斜視図である。
【図２】本考案の分解斜視図である。
【図３】本考案の使用状態を示す側面断面図１である。
【図４】本考案の使用状態を示す側面断面図２である。
【符号の説明】
【００２０】
１        本体
１１      主体
１１１    収容空間
１１２    貫通孔
１２      連接段
１２１    補強リブ
１３      手持ち板
１４      発光体
１５      電池組
１６      導電弾性片
１７      トリガー
１８      遮断片
２        拍手プレート
２１      弾性具
２２      押付規制片
２３      接合部
２４      貫通孔
【図１】
0003135917.tif 000003
【図２】
0003135917.tif 000004
【図３】
0003135917.tif 000005
【図４】
0003135917.tif 000006